(57)【要約】      （修正有）【課題】米を投入した紙製米袋に装着される紙紐を、環状に結束して、紙製米袋を軽快に携行できるようにする。【解決手段】紙紐１が開口部位の一側面幅方向に装着されて成る紙製米袋、紙紐１は数ｃｍ幅を有し、手提げに適する長尺テープ状の紙シートに形成され、該紙シートの表面に接着剤が塗布され、表面の長手方向中心線上に沿って中心部折線３を設けると共に、直径１ｍｍ程度の細糸４が装着され、中心線の左側方向へ夫々左第１折線６、左第２折線７、左第３折線８を同一幅に順次設け、中心線の右側方向にも夫々右第１折線６ａ、右第２折線７ａ、右第３折線８ａを同一幅程度に順次設け、各折線を介して順次折曲接合し、接着剤を介して両面から押圧し、全体が一体として上記細糸４を内包した状態で幅５ｍｍ程度の長尺の紙紐１が形成され、該紙紐１が紙製米袋の開口部近傍の一側面幅方向へ装着して成ることを特徴とする。【選択図】図８
2017137089.tif 000002
【特許請求の範囲】
【請求項１】
紙紐が開口部位の一側面幅方向に装着されて成る紙製米袋に於いて、
該紙製米袋に装着される紙紐は数ｃｍ幅を有し、且つ、手提げに適する長尺テープ状の紙シートに形成され、且つ、該紙シートの表面に接着剤が塗布され、更に、該表面の長手方向中心線上に沿って中心部折線を設けると共に、直径１ｍｍ程度の細糸が装着され、該中心線の左側方向へ夫々左第１折線、左第２折線及び、左第３折線を同一幅に順次設け、更に、該中心線の右側方向にも夫々右第１折線、右第２折線、及び右第３折線を同一幅程度に順次設け、夫々の各折線を介して順次折曲接合し、更に、接着剤を介して両面から押圧し、全体が一体として上記細糸を内包した状態で幅５ｍｍ程度の長尺の紙紐が形成され、該紙紐が紙製米袋の開口部近傍の一側面幅方向へ装着して成ることを特徴とする紙製米袋。
【請求項２】
上記紙紐に内包される細糸は天然繊維から成ることを特徴とする請求項１記載の紙製米袋。
【請求項３】
上記紙紐に内包される細糸は、化学繊維から成ることを特徴とする請求項１記載の紙製米袋。
【発明の詳細な説明】
【技術分野】
【０００１】
本発明は、紙製米袋に関するものであり、特に米が封入され、そして、紙製米袋に装着されている紙紐の端部を結束して環状に形成し、該紙紐を結束する際、及び、之を手にて把持して携行する時、封入された米の重量に充分耐え、且つ、手指に痛みを感じさせないように形成された紙紐が開口部近傍の一側面に装着された紙製米袋に関するものである。
【背景技術】
【０００２】
従来、紙製米袋の開口部一側面に紙紐が装着しており、且つ、米が封入された該紙製米袋を手で把持して携行する時、該紙製米袋に装着されている紙紐の両端部を結束して環状に形成し、そして、該環状に形成された紙紐を把持して携行できるようにした紙製米袋は公知である。勿論、米が封入された紙製米袋は、米の封入後、該紙製米袋は上面開口部を閉塞して上方から３回程度折曲され、そして、内側に包含されている紙紐の両側部を引き上げ、更に引き上げられた紙紐の両端部を結束し、該紙紐を把持して携行できるように形成されることは当然である。
【０００３】
而して、前記紙紐は従来は単に幅が２ｍｍ程度の紙製捻糸を３本乃至５本並列に揃え、接着剤を用いて之を両面から押圧して形成して成る紙紐を用いている。
【０００４】
又、従来、紙バンドを製造する時、紙テープを接着剤により貼り合わせて積層形状に形成した平紐状の紙バンドが知られている（例えば、特開２００８−２９７０１４参照）。
【０００５】
更に又、二枚の紙シートに撚りをかけ、更に、撚りをかけたものを偏平に形成した紙紐も知られている（例えば、特開２００３−１３７３３６参照）。
【先行技術文献】
【特許文献】
【０００６】
【特許文献１】特開２００８−２９７０１４
【特許文献２】特開２００３−１３７３３６
【発明の概要】
【発明が解決しようとする課題】
【０００７】
上記従来例であって、幅が２ｍｍ程度の紙製捻糸を３本乃至５本並列に並べ、それを接着剤を用いて両面から押圧して成る紙紐は、硬度が極めて高く、従って、この紙紐を装着した紙製米袋に米を投入し、そして、先ず、該紙紐を結束する際、及び、結束した紙紐を手にて把持し、之を携行する時に、手指に痛みを感じさせ、且つ、米の重量に耐え得ないという欠陥があった。
【０００８】
又、特許文献１及び特許文献２に記載された紙紐は新聞、雑誌等の梱包用としては適しているとしても、紙製米袋用として之を用いる時は、該紙紐を結束する際に該紙紐が切損する虞があり、更に、該紙製米袋内に封入された米の重量に耐えて手提げ用として使用する紙紐としては強度が不足し、全く携行動作に適するものではない。
【０００９】
そこで、米を封入した紙製米袋を該紙製米袋に装着されている紙紐を結束する際、及び、該結束した紙紐を把持して携行する時、手指に痛みを感じさせることなく、且つ、米の重量にも充分耐え得る紙紐が装着された紙製米袋を得るために解決せられるべき技術的課題が生じてくるのであり、本発明は該課題を解決することを目的とする。
【課題を解決するための手段】
【００１０】
本発明は、上記目的を達成するために提案されたものであり、請求項１記載の発明は、  紙紐が開口部位の一側面幅方向に装着されて成る紙製米袋に於いて、該紙製米袋に装着される紙紐は数ｃｍ幅を有し、且つ、手提げに適する長尺テープ状の紙シートに形成され、且つ、該紙シートの表面に接着剤が塗布され、更に、該表面の長手方向中心線上に沿って中心部折線を設けると共に、直径１ｍｍ程度の細糸が装着され、該中心線の左側方向へ夫々左第１折線、左第２折線及び、左第３折線を同一幅に順次設け、更に、該中心線の右側方向にも夫々右第１折線、右第２折線、及び右第３折線を同一幅程度に順次設け、夫々の各折線を介して順次折曲接合し、更に、接着剤を介して両面から押圧し、全体が一体として上記細糸を内包した状態で幅５ｍｍ程度の長尺の紙紐が形成され、該紙紐が紙製米袋の開口部近傍の一側面幅方向へ装着して成ることを特徴とする紙製米袋を提供するものである。
【００１１】
この構成によれば、中心線の左右両側方の各紙シート部位が夫々の折線を介して折曲接合される。そして、最後に中心部折線を介して左右が結合され、細糸を内包した紙紐が接着剤により全体が一体として形成される。
【００１２】
次に、請求項２記載の発明は、上記紙紐に内包される細糸は天然繊維から成ることを特徴とする請求項１記載の紙製米袋を提供する。
【００１３】
この構成によれば、細糸が天然繊維から成るので、該細糸が紙紐に内包された時、該紙紐は柔軟性を維持できる。
【００１４】
又、請求項３記載の発明は、上記紙紐に内包される細糸は、化学繊維から成ることを特徴とする請求項１記載の紙製米袋を提供する。
【００１５】
この構成によれば、細糸は例えば、ガラスクロス等によって形成される時、引っ張り強度は充分に維持され、且つ、直径を更に小さく形成できるので、紙紐に内包されて紙紐の柔軟性は維持される。
【発明の効果】
【００１６】
請求項１記載の発明は、紙シートに設けた各折線を介して折曲接合し、そして該紙シートの長手方向中心線に設けた中心部折線を最後に折曲して、左右を接合し、そして、接合した８層が全体として一体的に接着剤にて結合した時、厚みが約０．５ｍｍ程度、幅が５乃至７ｍｍ程度の極めて細線状の紙紐が形成され、而も、細糸は内部に包含されているので、強度は米の重量を支えるに充分に維持されると共に、該紙紐を結束する際、及び、該紙紐を把持して米が封入された紙製米袋を携行する時、手指に痛みを感じさせることはなく、該紙製米袋を携行することができる。
【００１７】
請求項２記載の発明は、請求項１記載の発明と同様に手指に痛みを感じさせることがないのは当然であり、更に、細糸が天然繊維から成るので、之が紙紐に内包されても該紙紐は一層柔軟性を維持できる。
【００１８】
請求項３記載の発明は、細糸は化学繊維例えば、ガラスクロス等によっても形成できる。而して、該ガラスクロスは直径が約１ｍｍ以下の捻糸にも形成できるので、強度は米の重量を支持するに充分に耐え得ると共に、該ガラスクロスによって形成された捻糸は直径が極小に形成できるため、紙紐内に包含される該ガラスクロスの捻糸を結束する際、及び、結束したガラスクロスの捻糸を手にて把持して米が封入された紙製米袋を携行しても手指に痛みを感じさせることは全くない。
【図面の簡単な説明】
【００１９】
【図１】本発明に係る紙製米袋に装着される紙紐を形成する紙シートの平面図。
【図２】図１のＡ−Ａ線断面図であるが説明の都合上、図１の幅の約３倍長に図示されている。
【図３】左右夫々の第２折線を介して折曲接合された状態を示す平面図。
【図４】図３のＢ−Ｂ線断面図であるが、説明の都合上、図３の幅の約３倍長に図示されている。
【図５】図３に図示された状態から左右の夫々の第３折線及び第１折線を介して内側に折曲、接合された状態を示す平面図。
【図６】図５のＣ−Ｃ線断面図であるが、説明の都合上、図５の幅の約３倍長に図示されている
【図７】図５の状態から更に中心部折線を介して折曲された状態を示す平面図。
【図８】図７のＤ−Ｄ線断面図であるが、説明の都合上、幅及び厚み共に大きく図示されているが、実際は幅約５ｍｍ程度、厚み約０．５ｍｍ程度に形成されている。
【図９】本発明の紙製米袋の正面図。
【図１０】図９の状態から上端部を紙紐を包み込みながら１折した状態を示す正面図。
【図１１】図１０の状態から更に２折した状態を示す正面図。
【図１２】図１１の状態から更に３折した状態を示す正面図。
【図１３】図１１の状態であって、紙製米袋の上端部を紙紐が包み込まれながら３折され、そして、左右に突出している紙紐の端部を結束して手提げできるようにした状態を示す正面図。
【発明を実施するための形態】
【００２０】
本発明は、米を封入した紙製米袋に米を封入し、そして、該紙製米袋の上端部一側面に装着されている紙紐を結束し、該結束された該紙紐を把持して該紙製米袋を携行する時、該紙紐は米の重量に充分に耐えると共に、該紙紐を結束する際、及び、米が投入された紙製米袋の該紙紐を手にて把持して携行する時、手指に痛みを感じさせないようにすると言う目的を達成する為に紙紐が開口部位の一側面幅方向に装着されて成る紙製米袋に於いて、該紙製米袋に装着される紙紐は数ｃｍ幅を有し、且つ、手提げに適する長尺テープ状の紙シートに形成され、且つ、該紙シートの表面に接着剤が塗布され、更に、該表面の長手方向中心線上に沿って中心部折線を設けると共に、直径１ｍｍ程度の細糸が装着され、該中心線の左側方向へ夫々左第１折線、左第２折線及び、左第３折線を同一幅に順次設け、更に、該中心線の右側方向にも夫々右第１折線、右第２折線、及び右第３折線を同一幅程度に順次設け、夫々の各折線を介して順次折曲接合し、更に、接着剤を介して両面から押圧し、全体が一体として上記細糸を内包した状態で幅５ｍｍ程度の長尺の紙紐が形成され、該紙紐が紙製米袋の開口部近傍の一側面幅方向へ装着して成ることを特徴とする紙製米袋を提供することにより実現した。
【実施例】
【００２１】
以下、本発明の好適な一実施例を図１乃至１３に従って詳述する。
図１乃至図８は、本発明の主要部を示す紙紐１の構成を示す。
【００２２】
而して、該紙紐１は、図１及び図２に示す如く、先ず、数ｃｍ幅（実施例では約４．５ｃｍ幅であるが、之に限定せられるべきではない）で長尺テープ状の紙シート２が用いられる。尚、該紙シート２の厚みは約０．５ｍｍ程度のものが使用されるが、之に限定せられるべきではない。該紙シート２には表面は接着剤（図示せず）が塗布され、更に、長手方向中心線上に中心部折線３が設けられる。
【００２３】
更に、該中心部折線３の左方向には左第１折線６、左第２折線７、及び左第３折線８が略同一幅に設けられると共に、該中心部折線３の右方向にも略同一幅の第１折線６ａ、第２折線７ａ、及び第３折線８ａが夫々設けられている。
【００２４】
又、該中心部折線３上に細糸４が装着される。該細糸４は、植物繊維から成る天然繊維及び、ガラスクロス又は炭素繊維等から成る化学繊維が用いられる。該細糸４が植物繊維によって構成されるときには、直径を約１ｍｍ程度（之も１ｍｍに限定されるべきではない）にして、後述の如く、紙シートの折曲時に内包された時、該紙シート２の強度を増大して後述せる米の重量に充分に耐え得ることができると同時に紙紐１の全体としての柔軟性も保持でき、依って、該紙紐１を結束する際、及び、結束した紙紐を手にて把持して米を封入した紙製米袋５を携行する時、手指に痛みを感じさせる事なく軽快に該紙製米袋５を携行することができる。
【００２５】
又、前記細糸４を化学繊維例えばガラスクロスによって該細糸４を構成する場合は、多数本を捻り合わせてガラスクロスの捻糸を構成できる。然るときは、該ガラスクロスの捻糸は直径を約１ｍｍ程度の細線に構成できるので、細線であっても細糸４の強度が増大して米の重量に充分耐え、且つ、該ガラスクロスから成る細糸が極めて小さく、且つ、柔軟性であるため、該細糸が紙シート内に包含されても、柔軟性を保持して紙紐１自体は全体として、該紙紐１を把持する手指に痛みを感じさせることは一切なくなる。
【００２６】
図３及び図４に示す紙シート２は、左第２折線７及び右第２折線７ａを介して夫々内側に折曲接合された状態を示す。この場合、中心部折線３上に装着されている細糸４は、図３及び図４に示すように紙シート２の折曲によっても未だ包含されていない。
【００２７】
図５及び図６は前記図３及び図４の状態から更に左第３折線８及び右第３折線８ａ並びに、左第１折線６及び右第１折線６ａを介して夫々内側へ折曲接合される。
【００２８】
この状態では前記細糸４は、未だ折曲接合された紙シート２内に包含されていない。
図７及び図８は、前記図５及び図６の状態から再度中心部折線３を介して内側へ折曲し、接着剤を介して夫々一体的に接合されて本発明の要旨に係る紙紐１が形成される。而して、本実施例では該紙紐の幅は約７ｍｍ程度、厚みが約０．５ｍｍ程度に形成されるが勿論、之に限定されるべきではない。
【００２９】
而して、前記各折線を介して８層に折曲され、接着剤を介して押圧接合される紙紐１は、全体が一体として細糸４を内包した状態で形成されるので、強度は増し、而も、紙紐１自体の表面には細糸４が突出しないので、紙紐１の柔軟性は維持され、米を封入した紙製米袋５は該紙紐４を把持して軽快に携行することが可能となる。
【００３０】
尚、図９乃至図１３は米屋で購入した米を紙製米袋に投入し、之を携行する際に於いて投入した紙製米袋の開口部を封止し、そして、紙紐１を結束して該紙製米袋５の携行に供し得るようにした図示例である。
【００３１】
図９は、上端開口部近傍に紙紐４を装着した紙製米袋５を示す。該紙製米袋５に米が投入され、之を携行する際には、図１０に示すように先ず第１鎖線Ｘ線部位（図９参照）から手前方向に折曲して開口部を封止し、それから図１１に示す如く、図９の第２鎖線Ｙ線部位から再度手前方向へ折曲する。
【００３２】
更に又、図１２に示す如く、第３鎖線Ｚ線部位（図９参照）から手前方向へ折曲して細糸４を包含する。斯くの如く、紙製米袋５に投入された米は該紙製米袋５の開口部近傍から３回に及んで巻回折曲されて紙紐１が内部に固定されるので、図１３に示す如く、中央部位が前記折曲動作によって固定された紙紐１の両側部を上方へ引き上げ、更に、両端部位を結束することにより紙紐１は環状に形成される。
【００３３】
そこで、該紙紐１を把持して米が投入された紙製米袋５は軽快に携行されることができる。勿論、本発明の要旨に係る細糸４以外は従来に於いても実施されている。
【００３４】
尚、本発明に係る細紐の形成に際して折曲される順序及び方法は上記実施例に限定されるものではなく、更に、本発明の精神を逸脱しない限り、種々の改変をなすことができ、そして、本発明が該改変されたものに及ぶことは当然である。
【産業上の利用可能性】
【００３５】
本発明の要旨に係る紙紐は紙製米袋に装着される以外にも新聞、雑誌類その他の梱包用として使用可能である。
【符号の説明】
【００３６】
１    紙紐
２    紙シート
３    中心部折線
４    細糸
５    紙製米袋
６    左第１折線
６ａ  右第１折線
７    左第２折線
７ａ  右第２折線
８    左第３折線
８ａ  右第３折線
Ｘ線  第１鎖線
Ｙ線  第２鎖線  
Ｚ線  第３鎖線
【図１】
2017137089.tif 000003
【図２】
2017137089.tif 000004
【図３】
2017137089.tif 000005
【図４】
2017137089.tif 000006
【図５】
2017137089.tif 000007
【図６】
2017137089.tif 000008
【図７】
2017137089.tif 000009
【図８】
2017137089.tif 000010
【図９】
2017137089.tif 000011
【図１０】
2017137089.tif 000012
【図１１】
2017137089.tif 000013
【図１２】
2017137089.tif 000014
【図１３】
2017137089.tif 000015